(57)【特許請求の範囲】
【請求項１】
複数の遊技機それぞれに対し、遊技を実行するために必要な遊技媒体の単価として異なる遊技単価を設定可能な遊技単価設定手段と、
遊技者に提供可能な複数の商品それぞれに対し、対価となる遊技媒体数を前記遊技単価別に設定可能な商品対価設定手段と、
各遊技機に対応して設けられ、遊技者が複数の商品の中から所望の商品を選択して注文するための注文操作を行うことが可能な注文操作手段と、
前記複数の商品それぞれに対し、遊技者への提供を禁止するための禁止フラグを前記遊技単価別に設定可能な禁止フラグ設定手段と、
各遊技機に対応して設けられ、遊技者が所有している遊技媒体数を記憶する遊技媒体数記憶手段と、
各遊技機に対応して設けられ、前記遊技媒体数記憶手段に記憶されている遊技媒体数を特定するための情報を記録した記録媒体を発行する記録媒体発行手段と、
前記遊技媒体数記憶手段に記憶されている遊技媒体数のうち遊技者が注文した商品に対して前記商品対価設定手段により設定された遊技媒体数を減算する減算手段と、を備え、
前記注文操作手段は、前記禁止フラグ設定手段により禁止フラグが設定されている商品を、遊技者が注文可能な商品から除外するように構成され、
前記記録媒体発行手段は、前記減算手段により減算された遊技媒体数を特定するための情報を前記記録媒体に記録して分割発行可能であり、
前記禁止フラグ設定手段は、前記記録媒体発行手段が前記記録媒体を分割発行することにより商品の対価を支払う場合と、遊技者が所有している遊技媒体を手渡しすることにより商品の対価を支払う場合とで区別して前記禁止フラグを設定可能であることを特徴とする遊技場用管理システム。
【請求項２】
各遊技機に対応して設けられ、遊技機から払い出された遊技媒体を受け入れて計数する計数手段を備え、
前記遊技媒体数記憶手段は、前記計数手段により計数された遊技媒体数を遊技者所有の遊技媒体数として記憶することを特徴とする請求項１に記載した遊技場用管理システム。
【発明の詳細な説明】
【技術分野】
【０００１】
本発明は、ワゴンサービスが実施される遊技場で用いられる遊技場用管理システムに関する。
【背景技術】
【０００２】
従来より、例えば特許文献１に記載されているように、遊技場では所謂ワゴンサービスが一般的に実施されている。このワゴンサービスは、遊技者からの商品の注文を受けて、注文された商品を遊技者のところまで配達するものであるが、対価の支払いは持玉を直接手渡しする場合と、持玉のデータを記録したカードを発行して渡す場合（各遊技機にカード発行装置を設けることが前提）とがある。例えば貸出単価（玉単価）が４円のコーナーで遊技している遊技者が６００円のサンドイッチを注文した場合には、１５０個の玉を担当者に直接手渡しするか、１５０個の玉数を記録したカードを発行して担当者に渡すことになる。
【先行技術文献】
【特許文献】
【０００３】
【特許文献１】特開２０１１−１１０１９６号公報
【発明の概要】
【発明が解決しようとする課題】
【０００４】
ところで、昨今は貸出単価の低下が顕著となっており、例えば貸出単価が１円や０．５円等の遊技場も珍しくない。そのため、そのような貸出単価が低い状況でワゴンサービスを提供する場合に、単価が高い商品の支払いを持玉の手渡しにより行おうとすると、手渡しする持玉の量が多くなり、担当者の作業負担が増大してしまうという問題があった。
【０００５】
本発明は、上記した事情に鑑みてなされたものであり、その目的は、ワゴンサービスの支払形態を適切に設定することにより、担当者の作業負担を軽減することが可能な遊技場用管理システムを提供することにある。
【課題を解決するための手段】
【０００６】
請求項１に記載した発明は、複数の遊技機それぞれに対し、遊技を実行するために必要な遊技媒体の単価として異なる遊技単価を設定可能な遊技単価設定手段と、遊技者に提供可能な複数の商品それぞれに対し、対価となる遊技媒体数を前記遊技単価別に設定可能な商品対価設定手段と、各遊技機に対応して設けられ、遊技者が複数の商品の中から所望の商品を選択して注文するための注文操作を行うことが可能な注文操作手段と、前記複数の商品それぞれに対し、遊技者への提供を禁止するための禁止フラグを前記遊技単価別に設定可能な禁止フラグ設定手段と、各遊技機に対応して設けられ、遊技者が所有している遊技媒体数を記憶する遊技媒体数記憶手段と、各遊技機に対応して設けられ、前記遊技媒体数記憶手段に記憶されている遊技媒体数を特定するための情報を記録した記録媒体を発行する記録媒体発行手段と、前記遊技媒体数記憶手段に記憶されている遊技媒体数のうち遊技者が注文した商品に対して前記商品対価設定手段により設定された遊技媒体数を減算する減算手段と、を備え、前記注文操作手段は、前記禁止フラグ設定手段により禁止フラグが設定されている商品を、遊技者が注文可能な商品から除外するように構成され、前記記録媒体発行手段は、前記減算手段により減算された遊技媒体数を特定するための情報を前記記録媒体に記録して分割発行可能であり、前記禁止フラグ設定手段は、前記記録媒体発行手段が前記記録媒体を分割発行することにより商品の対価を支払う場合と、遊技者が所有している遊技媒体を手渡しすることにより商品の対価を支払う場合とで区別して前記禁止フラグを設定可能であることを特徴とする。
【０００８】
請求項２に記載した発明は、各遊技機に対応して設けられ、遊技機から払い出された遊技媒体を受け入れて計数する計数手段を備え、前記遊技媒体数記憶手段は、前記計数手段により計数された遊技媒体数を遊技者所有の遊技媒体数として記憶することを特徴とする。
【発明の効果】
【０００９】
請求項１に記載した発明によれば、遊技者への提供を禁止するための禁止フラグを遊技単価別に設定可能とし、禁止フラグが設定されている商品を、遊技者が注文可能な商品から除外するようにしたので、ワゴンサービスを実施する際に、担当者の作業負担を考慮した上で適当な商品に対して禁止フラグを設定することで、担当者の作業負担を軽減することができる。
【００１０】
又、記録媒体を分割発行することにより商品の対価を支払う場合と、遊技者が所有している遊技媒体を手渡しすることにより商品の対価を支払う場合とで区別して禁止フラグを設定可能としたので、担当者の作業負担をより適切に軽減することができる。即ち、記録媒体を分割発行することにより商品の対価を支払う形態では、商品の対価となる遊技媒体数が大きくなっても担当者の作業負担は変わらないが、一方、遊技媒体を手渡しすることにより商品の対価を支払う形態では、商品の対価となる遊技媒体数に依存して担当者の作業負担が増減するので、両者で区別して禁止フラグを設定可能とすることで、両者の支払い形態が共存する運用でも担当者の作業負担をより適切に軽減することができる。
【００１１】
請求項２に記載した発明によれば、遊技者が遊技により獲得して計数手段にて計数した遊技媒体を商品の対価として用いることができる。
【図面の簡単な説明】
【００１２】
【図１】本発明の一実施形態における遊技場用管理システムの全体構成図
【図２】遊技機の正面図
【図３】貸出ユニット（各台計数機能あり）の機能ブロック図
【図４】貸出ユニット（各台計数機能なし）の機能ブロック図
【図５】島端計数機の機能ブロック図
【図６】種別設定を示す図
【図７】ワゴン設定を示す図
【図８】メニュー画面を示す図（その１）
【図９】メニュー画面を示す図（その２）
【図１０】メニュー画面を示す図（その３）
【図１１】メニュー画面を示す図（その４）
【図１２】注文確定画面を示す図
【発明を実施するための形態】
【００１３】
以下、本発明の一実施形態について図面を参照して説明する。
図１は、遊技場用管理システムの全体構成を概略的に示している。遊技場内には複数の遊技機１が設置されており、各遊技機１に対応して貸出ユニット２、３が設置されている。これら遊技機１及び貸出ユニット２、３は、複数台ずつＬＡＮ４を介して中継端末５と接続されている。中継端末５は、ＬＡＮ６を介して管理装置７（遊技単価設定手段、商品対価設定手段、禁止フラグ設定手段）と接続されている。管理装置７は、遊技機側（遊技機１、貸出ユニット２、３等）から送信される遊技信号を受信することにより遊技機１毎の遊技データや会員登録された会員遊技者毎の個人データ等を管理する。又、遊技場内には、島端計数機８、ＰＯＳ（景品交換端末）９及びワゴン端末１０も設置されており、これら島端計数機８、ＰＯＳ９及びワゴン端末１０もＬＡＮ６を介して管理装置７と接続されている。尚、図１では図示を省略したが、実際には例えば数百台の遊技機１が管理装置７の管理対象となっている。
【００１４】
遊技場内には、遊技媒体の貸出単価（玉単価、遊技単価）が異なる複数の遊技機島が形成されており、例えば貸出単価が４円の遊技機島（４円のコーナー）と１円の遊技機島（１円のコーナー）が形成されている。本実施形態では、貸出単価が１円のコーナーは、各遊技機１に対応して各台計数機能ありの貸出ユニット２が設置されており、各台計数島とされている。貸出単価が４円のコーナーは、各遊技機１に対応して各台計数機能なしの貸出ユニット３が設置されており、島端計数島とされている。即ち、貸出単価が１円のコーナーで遊技する遊技者は、遊技により獲得した玉（獲得玉）をその場で（島端計数機８まで出向かずに）計数することができる。一方、貸出単価が４円のコーナーで遊技する遊技者は、遊技により獲得した玉を玉箱に収納し、その玉箱を持って島端計数機８まで出向かなければ計数することができない。
【００１５】
管理装置７は、遊技場内の例えば事務室等に設置されており、遊技場の管理者が操作するキーボード１１、モニタ１２、プリンタ（図示せず）等が接続されている。管理装置７は、遊技場内に設置された遊技機１、貸出ユニット２、３、島端計数機８、ＰＯＳ９等の稼動状況を管理すると共に、遊技機１側から受信する各種の信号に基づいて遊技者毎の入金残高や遊技価値等を記憶管理する。
【００１６】
図２は、遊技機１の構成を概略的に示している。遊技機１は、ＣＲパチンコ機であり、盤面１ａに玉を発射する発射装置を構成する操作ハンドル１ｂ、上部受皿１ｃ、下部受皿１ｄを有し、盤面１ａに、液晶表示部１ｅ、始動口１ｆ、大入賞口１ｇを有し、上部受皿１ｃに、貸出ボタン１ｈ、返却ボタン１ｉを有する。遊技者が操作ハンドル１ｂを操作すると、玉（遊技媒体）が盤面１ａに発射され、そのパチンコ玉が始動口１ｆに入賞すると、その入賞に応じた玉数のパチンコ玉を払出したり大当たり抽選を行ったりする。大当たり抽選では、液晶表示部１ｅにおいて所謂特別図柄（特図）による図柄変動を実行し、停止表示された図柄が大当たり図柄の場合に大当たりが発生する。大当たりが発生すると、例えば１５ラウンド分だけ大入賞口１ｇを開放する。
【００１７】
遊技機１は、遊技者による遊技が進行することに応じて、遊技機１に投入された（盤面１ａに打ち込まれて消費された）遊技媒体の数を示すアウト玉数（消費媒体数）を特定可能なアウト信号、遊技機１から入賞により払い出された遊技媒体の数を示すセーフ玉数（払出媒体数）を特定可能なセーフ信号、遊技機１で発生したスタート（大当たりの抽選の実行）を特定可能なスタート信号、遊技機１で発生した大当たり状態を特定可能な大当たり信号等の各種の遊技信号を送信する。
【００１８】
図３は、各台計数機能ありの貸出ユニット２（注文操作手段、遊技媒体数記憶手段、記録媒体発行手段、減算手段、計数手段）の機能ブロック図を示している。貸出ユニット２は、ＣＰＵ、ＲＯＭ、ＲＡＭ、Ｉ／Ｏを有するマイクロコンピュータにより構成される制御部２ａ、管理装置７及び遊技機１との間で各種の信号や各種の情報を送受信するＩ／Ｆ部２ｂ、紙幣投入口に投入された紙幣の真贋を判定する紙幣処理部２ｃ、入金残高、持玉数及び貯玉数の情報や遊技の進行に伴って図柄変動回数（スタート回数）や大当たり確率等の遊技データを表示するタッチパネル式の液晶表示部２ｄ、液晶表示部２ｄの画面上にて遊技者からの操作入力を受け付けるタッチパネル２ｅ、カード挿入口に挿入された各種のカード（一般カード１３、会員カード１４、ワゴンカード１５（記録媒体））に記憶されている各種の情報を読み取ったり書き込んだりするカードリーダライタ２ｆ、最大１０枚の一般カード１３をストック可能なカードストック部２ｇ、従業員が所持するワゴン用リモコン１６から送信されたリモコン信号を受光するリモコン受光部２ｈ、払出ボタン２ｉ、払出ボタン２ｉが操作されたときに１単位分（例えば５００円分）の玉を払出ノズルから払い出す払出部２ｊ、遊技機１の下部受皿１ｄの下方に位置する着脱可能な計数受皿から流入する玉を計数する計数部２ｋ等を有する。
【００１９】
貸出ユニット２は、以下に示す機能を備えている。
（１）一般カード１３及び会員カード１４の何れも挿入されていない状態で紙幣が投入されると、ストックしている一般カード１３をカード繰出機構（図示せず）により繰り出し（セットし）、その投入された紙幣の金額（１０００円単位）を入金残高として記憶すると共に、入金残高を表示する。
【００２０】
（２）一般カード１３が挿入されると（一般カード１３を受け付けると）、その受け付けた一般カード１３に記憶されている入金残高及び持玉数を読み取って表示する。一般カード１３を受け付けたときは、その一般カード１３に記憶されている入金残高及び持玉数の範囲内で貸出処理及び払出処理を行う。
【００２１】
（３）会員カード１４が挿入されると（会員カード１４を受け付けると）、その受け付けた会員カード１４に記憶されている入金残高を読み取って表示する。又、貸出ユニット２と管理装置７とが通信可能なオンライン状態では、会員カード１４に対応する持玉数を管理装置７に問い合わせることで、会員カード１４に対応する持玉数を管理装置７から受信して表示する。更に、貸出ユニット２と管理装置７とが通信可能なオンライン状態では、暗証番号の入力を条件とし、会員カード１４に対応する貯玉数を管理装置７に問い合わせることで、会員カード１４に対応する貯玉数を管理装置７から受信して表示する。会員カード１４を受け付けたときは、その会員カード１４に記憶されている入金残高、その会員カード１４に対応して管理装置７が記憶している持玉数及び貯玉数の範囲内で貸出処理及び払出処理を行う。
【００２２】
（４）遊技機１の貸出ボタン１ｈが操作されると、その貸出ボタン１ｆの操作に応じて入金残高の範囲内で１度数（５００円）に相当する玉数の玉を遊技機１内部の払出機構から貸し出す（貸出処理を行う）。この場合は、貸出単価が１円であるので、５００玉を払い出す。このとき、遊技機１から貸出ユニット２に１度数分の玉の払い出しを示す信号が送信されるので、液晶表示部２ｄに表示されている入金残高から１度数（５００円）を減額すると共に、貸し出した遊技媒体の数を示す貸出玉数（貸出媒体数）を特定可能な売上信号を送信する。
【００２３】
（５）遊技機１の下部受皿１ｄから落下した玉が計数受皿で受けられると、その玉が計数部２ｋに流入することで玉を計数し、その計数した玉数である計数玉数を液晶表示部２ｄに表示する（計数処理を行う）。
（６）払出ボタン２ｉが操作されると、その払出ボタン２ｉの操作に応じて持玉数又は貯玉数（会員の場合）の範囲内で１度数（５００円）に相当する玉数の玉を遊技機１内部の払出機構から払い出す（払出処理を行う）。
（７）一般カード１３を受け付けているときに、入金残高及び持玉数が「０」になると、その入金残高及び持玉数の両方が「０」になった一般カード１３を回収する。会員カード１４を受け付けているときに、入金残高、持玉数及び貯玉数が「０」になっても、その入金残高、持玉数及び貯玉数が「０」になった会員カード１４を回収せずに保持する。
【００２４】
（８）遊技機１の返却ボタン１ｉが操作されると、その返却ボタン１ｉの操作に応じて入金残高や持玉数を一般カード１３又は会員カード１４に記憶して発行する（返却処理を行う）。一般カード１３を受け付けているときには、入金残高及び持玉数を記憶して発行する。一般カード１３を発行すると、その発行した一般カード１３を特定可能な一般カードＩＤ、記憶した入金残高や持玉数を特定可能な発行情報を管理装置７に送信する。会員カード１４を受け付けているときには、入金残高を記憶し、暗証番号の入力を条件として持玉数を管理装置７に送信してから発行する。会員カード１４を発行すると、その発行した会員カード１４を特定可能な会員カードＩＤ、記憶した入金残高を特定可能な発行情報を管理装置７に送信する。尚、このように一般カード１３又は会員カード１４を発行したときには、計数玉数をゼロリセットする（初期化する）。
【００２５】
（９）液晶表示部２ｄに対する操作入力に応じて対応する遊技機１又は指定された他の遊技機１の遊技データを表示したり、遊技場からのメッセージを表示したり、遊技者が会員であることが特定された場合は遊技機１の遊技データを表示したりする。
（１０）液晶表示部２ｄに表示している所定画面上でワゴンサービスボタン（図示せず）が操作されると、商品を注文する（注文操作を行う）ためのメニュー画面を表示し、メニュー画面上で所定の注文操作が行われると、注文内容（注文された品目、個数、対応する遊技機１の台番を特定可能な台番ＩＤ等）を特定可能な注文信号を送信する。
【００２６】
（１１）ワゴンカード１５が挿入されている（ワゴンカード１５を受け付けている）状態で、ワゴン用リモコン１６から送信されたリモコン信号を受光すると、そのリモコン信号により特定される玉数を持玉数や貯玉数から減算し、その減算した玉数をワゴンカード１５に記憶して発行する（分割発行する）。ワゴンカード１５を発行すると、その発行したワゴンカード１５を特定可能なワゴンカードＩＤ、記憶した玉数を特定可能な発行情報を管理装置７に送信する。
【００２７】
図４は、各台計数機能なしの貸出ユニット３（注文操作手段、遊技媒体数記憶手段、記録媒体発行手段、減算手段）の機能ブロック図を示している。貸出ユニット３は、上記した各台計数機能ありの貸出ユニット２の計数部２ｋが省略された構成である。即ち、貸出ユニット３は、制御部３ａ、Ｉ／Ｆ部３ｂ、紙幣処理部３ｃ、液晶表示部３ｄ、タッチパネル３ｅ、カードリーダライタ３ｆ、カードストック部３ｇ、リモコン受光部３ｈ、払出ボタン３ｉ、払出部３ｊ等を有する。貸出ユニット３は、貸出ユニット２と比較し、各台計数機能を有していない点、遊技機１の貸出ボタン１ｈが操作されたときに貸出単価が４円であるので１２５玉を払い出す点が異なるだけであり、他の機能（一般カード１３や会員カード１４を受け付ける機能、商品を注文するためのメニュー画面を表示する機能等）は貸出ユニット２と同等である。
【００２８】
図５は、島端計数機８の機能ブロック図を示している。島端計数機８は、ＣＰＵ、ＲＯＭ、ＲＡＭ、Ｉ／Ｏを有するマイクロコンピュータにより構成される制御部８ａ、管理装置７との間で各種の信号や各種の情報を送受信するＩ／Ｆ部８ｂ、液晶表示部８ｃ、液晶表示部８ｃの画面上にて従業員からの操作入力を受け付けるタッチパネル８ｄ、レシート１７を発行するレシート発行部８ｅ、投入口から流入する玉を計数する計数部８ｆ等を有する。島端計数機８は、投入口から流入した玉を計数すると、その計数結果（計数値、発行時刻等）を記録したレシート１７をレシート発行部８ｅから発行する。
【００２９】
ＰＯＳ９は、遊技場内の景品交換カウンターに設置され、一般カード１３、会員カード１４又はワゴンカード１５を受け付けると、その受け付けた一般カード１３、会員カード１４又はワゴンカード１５に記憶されている持玉数や貯玉数を読み取って景品交換処理を行うと共に、レシート１７を受け付けると、その受け付けたレシート１７に記録されている計数値を読み取って景品交換処理を行う。ワゴン端末１０は、遊技場内のワゴンサービスカウンターに設置され、貸出ユニット２、３から注文信号を受信すると、その受信した注文信号により特定した注文内容を表示する。ワゴンサービスの担当者は、注文内容を確認することで、その注文された商品を遊技者のところまで配達する。
【００３０】
一般カード１３は、不特定多数の遊技者が使用可能であり、当日限り有効なカードである。一般カード１３に内蔵されているＩＣチップ１３ａには一般カードＩＤが記憶されていると共に、入金残高や持玉数が記憶可能となっている。会員カード１４は、会員となった（所定の会員登録手続きを行った）遊技者が使用可能であり、予め設定されている有効期限（例えば３年間）まで有効なカードである。会員カード１４に内蔵されているＩＣチップ１４ａには会員カードＩＤが記憶されていると共に、入金残高が記憶可能となっている。会員カード１４に対応する持玉数や貯玉数は管理装置７のみに記憶される。ワゴンカード１５は、ワゴンサービスの担当者である従業員が所持してワゴンサービスを提供するときに使用するカードである。ワゴンカード１５に内蔵されているＩＣチップ１５ａにはワゴンカードＩＤが記憶されていると共に、従業員がワゴン用リモコン１６により操作入力した玉数が記憶可能となっている。ワゴンサービスの担当者は、ワゴンカード１５に記憶された玉数分の景品を交換することにより、ワゴンサービスで提供した商品の対価を得る仕組みになっている。
【００３１】
管理装置７は、記憶しているコンピュータプログラムにしたがって作動し、遊技機１の稼動状況を示す遊技データ（アウト玉数、セーフ玉数、遊技機１で発生した大当たりの回数を示す大当たり回数、遊技機１で実行されたゲームの回数を示すスタート回数、遊技機１が稼動している時間を示す稼動時間等）を管理して表示する遊技情報表示サービス、遊技者が遊技により獲得した遊技媒体を一旦貯蓄して当日又は後日遊技に再利用できるようにする貯玉サービス等を行う。尚、管理装置７が管理する遊技データは例示したものに限定されない。
【００３２】
さて、遊技場でワゴンサービスを実施する場合には、商品の対価を支払う方法として、持玉を直接手渡しする方法（手渡しによる支払い）と、持玉数を記録したワゴンカード１５を発行して渡す方法（カード発行による支払い）とがある。手渡しによる支払いでは、遊技者からの注文を受けた担当者は、例えば上部受皿１ｃに貯まっている持玉が遊技者から手渡しされることで、商品の対価を受け取る。カード発行による支払いでは、遊技者からの注文を受けた担当者は、ワゴンカード１５を貸出ユニット２、３のカード挿入口に挿入し（ワゴンカード１５を受け付けさせ）、商品の対価となる玉数をワゴン用リモコン１６にて操作入力してリモコン信号を送信させ、その操作入力した玉数が記憶されたワゴンカード１５を発行させる（分割発行させる）ことで、商品の対価を受け取る。しかしながら、［発明が解決しようとする課題］で記載したように、貸出単価で低い状況で、単価が高い商品の支払いを持玉の手渡しにより行おうとすると、手渡しする持玉の量が多くなり、担当者の作業負担が増大してしまうという問題があった。この点を考慮し、管理装置７及び貸出ユニット２、３は以下に示す構成となっている。
【００３３】
管理装置７は、従業員の操作入力により図６に示す種別設定及び図７に示すワゴン設定を設定可能であり、それぞれの設定情報を貸出ユニット２、３に送信する。図７に示すワゴン設定において、「種別１玉」、「種別１カード」は、それぞれ「種別１」での手渡しによる支払い、カード発行による支払いを示し、「種別２玉」、「種別２カード」は、それぞれ「種別２」での手渡しによる支払い、カード発行による支払いを示す。図６及び図７の例示では、貸出単価を４円に設定した「種別１」では、ワゴンサービスで提供する商品の単価に拘らず対価の支払いを手渡しによる支払いとカード発行による支払いとの両方で許可するように設定している。一方、貸出単価を１円に設定した「種別２」では、ワゴンサービスで提供する商品のうち単価が相対的に低い商品（例えば５００円以下の低単価商品であり、アイスコーヒー、アイスティー、１００％オレンジ、おにぎり３個）については対価の支払いを手渡しによる支払いとカード発行による支払いとの両方で許可するように設定しているが、単価が相対的に高い商品（例えば５００円を超える高単価商品であり、ホットドッグ、サンドイッチ）についてはカード発行による支払いは許可するが手渡しによる支払いは禁止する（遊技者への提供を禁止するための禁止フラグを設定する）ように設定している。
【００３４】
貸出ユニット２、３は、それぞれ図６に示した種別設定及び図７に示したワゴン設定の設定情報を管理装置７から受信すると、その設定情報を設定し、液晶表示部２ｄに表示している所定画面上でワゴンサービスボタンが操作されると、その設定した設定情報にしたがってメニュー画面Ｍ１を表示する。
【００３５】
具体的には、種別１（貸出単価が４円）の貸出ユニット２は、図８に示すように、単価に拘らず全ての商品が手渡しによる支払いとカード発行による支払いとの両方で注文可能であることを示すメニュー画面Ｍ１を表示する。貸出単価が４円の遊技機１で遊技する遊技者は、メニュー画面Ｍ１を確認すると、何れかの「商品」ボタンＡ１〜Ａ６をタッチし、「注文する」ボタンＡ８をタッチすることで、何れかの商品を注文可能となる。そして、貸出ユニット２は、注文信号を送信した後に、図１２に示すように、注文確定画面Ｍ２を表示する。遊技者は、注文確定画面Ｍ２を確認することで、注文が受け付けられたことを確認することができ、「確認」ボタンＡ９をタッチする。
【００３６】
一方、種別２（貸出単価が１円）の貸出ユニット３は、図９から図１１に示すように、低単価商品については手渡しによる支払いとカード発行による支払いとの両方で注文可能であるが、高単価商品についてはカード発行による支払いのみで注文可能である（手渡しによる支払いは不可である、遊技者が注文可能な商品から除外した）ことを示すメニュー画面Ｍ１を表示する。即ち、図９に示すメニュー画面Ｍ１では、低単価商品については図８に示したメニュー画面Ｍ１と同様にして注文可能であることを示す態様で「商品」ボタンＡ１〜Ａ４を表示するが、高単価商品については現在の持玉数に応じて注文可能であるか否かを示す態様で「商品」ボタンＡ５、Ａ６を表示する。図９に示すように現在の持玉数が「０玉」であるときには、全ての高単価商品が注文不可能であることを示す態様（品目に×を付した態様）で表示し、図１０及び図１１に示すように現在の持玉数が高単価商品のうち何れかの単価を超えると、その現在の持玉数よりも少ない単価の商品が注文可能であることを示す態様で表示する。具体的には、現在の持玉数が増えて例えば「６０２玉」になると、単価が「６００円」のホットドッグが注文可能となり、更に増えて例えば「７０５玉」になると、単価が「７００円」のサンドイッチも注文可能となる。種別２の貸出ユニット３は、このように手渡しによる支払いの際に持玉の量が多くなる高単価商品については、現在の持玉数が商品の単価を超え、カード発行による支払いが可能になったことを条件とし、その商品の注文を可能とする。これにより、担当者は、貸出単価を１円に設定した「種別２」において高単価商品の手渡しによる支払いに応じる必要がなくなる。
【００３７】
以上に説明した本実施形態によれば、次のような効果を奏することができる。
遊技者へのワゴンサービスの提供を禁止するか否かを貸出単価別に設定可能とし、ワゴンサービスの提供を禁止すると設定した商品を、遊技者が注文可能な商品から除外するようにしたので、ワゴンサービスを実施する際に、担当者の作業負担を考慮した上で適当な商品に対して禁止する旨を設定することで、担当者の作業負担を軽減することができる。
【００３８】
又、手渡しによる支払いとカード発行による支払いとで区別した上で、ワゴンサービスの提供を禁止するか否かを貸出単価別に設定可能としたので、担当者の作業負担をより適切に軽減することができる。即ち、カード発行による支払いでは、商品の対価となる玉数が増えても担当者の作業負担は変わらないが、一方、手渡しによる支払いでは、商品の対価となる玉数に依存して担当者の作業負担が増減するので、手渡しによる支払いとカード発行による支払いとで区別することで、両者の支払い形態が共存する運用でも担当者の作業負担をより適切に軽減することができる。
【００３９】
本発明は、上記した実施形態にのみ限定されるものではなく、以下のように変形又は拡張することができる。
本実施形態では、貸出単価が４円のコーナーが島端計数島とされ、貸出単価が１円のコーナーが各台計数島とされた場合を例示したが、逆にしても良い。又、同一種別の中に島端計数島と各台計数島とが設けられても良い。
本実施形態では、種別として４円パチンコと１円パチンコの２種類を例示したが、これに限定されない。又、貸出単価は遊技場が適宜設定することが可能であり、例えば０．５円、２円等が設定されても良い。又、遊技機１としてパチンコ機以外にメダルを用いるスロットマシンが設置されても良く、メダルの貸出単価として例えば２０円、１０円、５円等が設定されても良い。
【００４０】
本実施形態では、ワゴンサービスを受ける際の注文機能を貸出ユニット２、３が有する構成を例示したが、注文機能を貸出ユニット２、３とは別の機器が有しても良い。又、注文機能を有する機器が遊技機１の側方に限らず上方に設置されても良い。
本実施形態では、貸出単価が１円の「種別２」について一部の商品（高単価商品のみ）の手渡しによる支払いを禁止したが、貸出単価が１円の「種別２」について全ての商品の手渡しによる支払いを禁止しても良い。又、遊技者が複数の商品を同時に注文する場合を考慮し、その合計金額に応じて手渡しによる支払いを禁止するか許可するかを設定しても良い。例えば貸出単価が１円であり、判定値を「５００玉」とした場合に、単価が２００円の「商品Ａ」と単価が４００円の「商品Ｂ」とを纏めて注文した場合には手渡しによる支払いを禁止する一方、単価が２００円の「商品Ａ」と単価が２５０円の「商品Ｃ」とを纏めて注文した場合には手渡しによる支払いを許可するようにしても良い。
【００４１】
本実施形態では、カード発行による支払いを行う場合に、担当者がワゴンカード１５を挿入することで、対価となる玉数をワゴンカード１５に記憶して発行するようにしたが、カードストック部２ｇ、３ｇにストックされているカードに記憶して発行するようにしても良い。又、記録媒体の形態はカードに限定されず、例えばコイン形状等どのような形態であっても良い。
【符号の説明】
【００４２】
図面中、１は遊技機、２は貸出ユニット（注文操作手段、遊技媒体数記憶手段、記録媒体発行手段、減算手段、計数手段）、３は貸出ユニット（注文操作手段、遊技媒体数記憶手段、記録媒体発行手段、減算手段）、７は管理装置（遊技単価設定手段、商品対価設定手段、禁止フラグ設定手段）、１５はワゴンカード（記録媒体）である。
【図１】
0006405189.tif 000002
【図２】
0006405189.tif 000003
【図３】
0006405189.tif 000004
【図４】
0006405189.tif 000005
【図５】
0006405189.tif 000006
【図６】
0006405189.tif 000007
【図７】
0006405189.tif 000008
【図８】
0006405189.tif 000009
【図９】
0006405189.tif 000010
【図１０】
0006405189.tif 000011
【図１１】
0006405189.tif 000012
【図１２】
0006405189.tif 000013